(57)【要約】【解決手段】帯域外通信装置（１１０）は、差動伝送対（１１４，２１４）に配列された第１及び第２のデータライン（１１２，２１２，３１２）を有する。これらのデータラインは、第１周波数レンジ（１０４）内で高速データを伝達し、第１周波数レンジとは異なる第２周波数レンジ（１０２）内で帯域外データを伝達する。装置はまた、第１及び第２のデータラインに結合されたバンドパスフィルタ（１２８，２２２，２２３，３２４）を有する。このフィルタは、帯域外データのみを通過させると共に高速データを阻止する。装置はまた、バンドパスフィルタに結合されると共に帯域外データを少なくとも送信又は受信するよう構成されたデバイス（１３４，２２０，３２２，１６８，１８４）を有する。
2008522556.tif 000002
【特許請求の範囲】
【請求項１】
差動伝送対（１１４，２１４）に配列され、第１周波数レンジ（１０４）内で高速データを伝達すると共に前記第１周波数レンジとは異なる第２周波数レンジ（１０２）内で帯域外データを伝達する第１及び第２のデータライン（１１２，２１２，３１２）と、
前記第１及び第２のデータラインに結合され、前記帯域外データのみを通過させると共に前記高速データを阻止するバンドパスフィルタ（１２８，２２２，２２３，３２４）と、
該バンドパスフィルタに結合されると共に前記帯域外データを少なくとも送信又は受信するよう構成されたデバイス（１３４，２２０，３２２，１６８，１８４）と
を具備することを特徴とする帯域外通信装置（１１０，２１０，３１０）。
【請求項２】
前記第１及び第２のデータラインは同時に電力を伝達することを特徴とする請求項１記載の帯域外通信装置。
【請求項３】
前記第１及び第２のデータラインに電力を加えるか前記データラインから電力を除去するための中央電力タップ（１２０）を有するトランス（１２１）をさらに具備することを特徴とする請求項１記載の帯域外通信装置。
【請求項４】
前記帯域外フィルタ（１２８，２２２，２２３，３２４）は100kHz以下の周波数を通過させるよう構成されていることを特徴とする請求項１記載の帯域外通信装置。
【請求項５】
前記第２周波数レンジ（１０２）は100Hz及び100kHzの間であることを特徴とする請求項１記載の帯域外通信装置。
【請求項６】
前記第２周波数レンジ（１０２）は100Hz及び20kHzの間であることを特徴とする請求項１記載の帯域外通信装置。
【請求項７】
前記第１及び第２のデータライン（１１２，２１２，３１２）は、前記第２周波数レンジ内で複数の帯域外データ信号を伝達するよう構成されていることを特徴とする請求項１記載の帯域外通信装置。
【請求項８】
前記バンドパスフィルタは、抵抗と、キャパシタ（２２６）及び所定インピーダンスを有するインダクタ（２２４）の少なくとも一方とからなる回路を具備することを特徴とする請求項１記載の帯域外通信装置。
【請求項９】
前記バンドパスフィルタは、キャパシタ（２２６）及び所定インピーダンスを有するインダクタ（２２４）の少なくとも一方からなる回路を具備することを特徴とする請求項１記載の帯域外通信装置。
【請求項１０】
前記バンドパスフィルタは、前記帯域外通信装置及び帯域外通信電子デバイス（１３４）の間に前記帯域外データを通過させるよう構成されたデジタル信号プロセッサ（１４６）を具備することを特徴とする請求項１記載の帯域外通信装置。
【請求項１１】
前記バンドパスフィルタは、デジタル信号プロセッサ（１４６）と、前記帯域外データをデジタル信号に変換するよう構成された少なくとも１個のアナログ・デジタルコンバータ（１３８，１４２）とを具備することを特徴とする請求項１記載の帯域外通信装置。
【請求項１２】
１個以上の部品又はデバイスを有する構造化ケーブル配線基盤を管理する方法であって、
差動伝送対（１１４，２１４）に配列され、第１周波数レンジ（１０４）内で高速データを伝達すると共に前記第１周波数レンジとは異なる第２周波数レンジ（１０２）内で帯域外データを伝達する第１及び第２のデータライン（１１２，２１２，３１２）を有する少なくとも１個の装置（１１０，２１０，３１０）を設ける工程と、
前記帯域外データを通過させると共に前記高速データを阻止するバンドパスフィルタ（１２８，２２２，２２３，３２４）を前記第１及び第２のデータラインに結合する工程と、
帯域外データを発生すると共に解釈するよう構成された帯域外通信電子デバイス（１３４，２２０，３２２，１６８，１８４）を設ける工程と、
前記部品の少なくとも１個の状態に関連する帯域外データ信号を前記データラインを介して前記帯域外通信電子デバイスに送信する工程と
を具備することを特徴とする構造化ケーブル配線基盤の管理方法。
【請求項１３】
前記帯域外データ信号に基づいて基板マップを発生する工程をさらに具備することを特徴とする請求項１２記載の構造化ケーブル配線基盤の管理方法。
【請求項１４】
前記少なくとも１個の部品は電子識別表示器を具備することを特徴とする請求項１２記載の構造化ケーブル配線基盤の管理方法。
【請求項１５】
前記帯域外通信電子デバイスからの信号で前記識別表示器を調査することを特徴とする請求項１４記載の構造化ケーブル配線基盤の管理方法。
【請求項１６】
前記帯域外データ信号は前記帯域外通信装置の伝送状態に関連することを特徴とする請求項１２記載の構造化ケーブル配線基盤の管理方法。
【請求項１７】
前記１個以上の部品は少なくとも１個の照明源であることを特徴とする請求項１２記載の構造化ケーブル配線基盤の管理方法。
【請求項１８】
前記伝送状態は前記データライン上の前記データ伝送に関連することを特徴とする請求項１６記載の構造化ケーブル配線基盤の管理方法。
【請求項１９】
前記伝送状態は前記データライン上の前記電力伝送に関連することを特徴とする請求項１６記載の構造化ケーブル配線基盤の管理方法。
【発明の詳細な説明】
【技術分野】
【０００１】
本発明は、総括的には通信基盤に関し、より特定すると構造化ケーブル配線上での帯域外通信を提供する方法及び装置に関する。
【背景技術】
【０００２】
構造化ケーブル配線は一般に公知であり、ネットワーク構造基盤に広く使用されている。構造化ケーブル配線の枠組は、電気電子技術者協会（ＩＥＥＥ）により開発された802.3af規格により少なくとも部分的に管理されている。802.3af規格は、一般的なケーブル上で直流とイーサネット(登録商標）データ等の高速データの双方を伝えるための構造化ケーブル配線の使用に関する。
【０００３】
少なくともいくつかの公知の構造化ケーブル配線は、約100kHzより上の範囲の周波数で高速データを伝送する。動作中、高速データは、約100kHz以下の周波数を有する信号がさらに伝送することを阻止するよう、フィルタを通して伝送される。従って、高速データのみがフィルタを通って通信システムへ到達することができるのに対し、低周波数の信号は濾波される。しかし、これまで、これらの公知の構造化ケーブル配線システムは、２種類のコンテンツ、すなわち直流電力及び高速データのみを支持してきた。
【０００４】
少なくともいくつかの他の公知の構造化ケーブル配線システムは、構造化ケーブル配線システムの追加配線を提供して基盤を通ってデータを伝送する。例えば、少なくとも１個の公知システムは、構造化ケーブル配線システム内に部品の相互接続部に関連するデータを伝送するための追加のラインを有する。
【発明の開示】
【発明が解決しようとする課題】
【０００５】
従って、発明が解決すべき課題は、低コストで信頼性の高い方法で構造化ケーブル配線システムの能力を拡張すること、例えば、既存の基盤を再配線することなく、基盤に追加の配線をすることなく、構造化ケーブル配線システムの能力を拡張することである。
【課題を解決するための手段】
【０００６】
解決手段は、差動伝送対に配列された第１及び第２のデータラインを有する本発明の帯域外通信装置により提供される。データラインは、第１周波数レンジ内で高速データを伝達し、第１周波数レンジとは異なる第２周波数レンジ内で帯域外データを伝達する。装置はまた、第１及び第２のデータラインに結合されたバンドパスフィルタを有する。このフィルタは、帯域外データのみを通過させると共に高速データを阻止する。装置はまた、バンドパスフィルタに結合されると共に帯域外データを少なくとも送信又は受信するよう構成されたデバイスを有する。
【発明を実施するための最良の形態】
【０００７】
以下、添付図面を参照して一例としての本発明を説明する。
【０００８】
図１は、例えば、構造化データケーブル等の帯域外通信装置の伝送周波数レンジを示すグラフである。周波数はグラフのＸ軸に沿って示され、信号強度はグラフのＹ軸に沿って示されている。図１に示されるように、周波数レンジは、低周波数レンジ１００、中間周波数レンジ１０２及び高周波数レンジ０４に分割される。低周波数レンジ１００は一般的に、０Hzの周波数である例えば直流（ＤＣ）電力、50Hzまたは60Hzの周波数を有する交流（ＡＣ）電力等の電力伝送に使用される。このように、低周波数レンジ１００は０Hz及び約100Hzの間であるのが典型的である。図１のグラフにおいて、信号は低周波数レンジ１００及び高周波数レンジ１０４に伝送される。
【０００９】
高周波数レンジ１０４は一般的に、例えばイーサネット(登録商標）伝送等の高速データ伝送に使用される。ＩＥＥＥは、イーサネット(登録商標）上の電力（ＰｏＥ）を管理する802.3af規格を構築した。これにより、ユーザに電力及び高速データを供給するために単一のケーブルが使用される。ケーブルから高速データを抽出するために、フィルタが使用される。具体的には、フィルタは、例えば100kHz等の所定量以下の周波数の伝送を阻止する所定のカットオフ周波数を有する。このように、802.3af規格の下で、カットオフ周波数より上の周波数で高速データが伝送され、カットオフ周波数以下のいかなる伝送もノイズとして濾波される。
【００１０】
中間周波数レンジ１０２は、低周波数レンジ１００及び高周波数レンジ１０４の要求事項の間の周波数スペクトルを示す。ある実施形態によれば、中間周波数レンジ１０２は、種々の用途で帯域外データを搬送することができる。任意であるが、中間周波数レンジ１０２上で伝送された帯域外データは音声データであってもよい。さらに、中間周波数レンジ１０２は帯域外電力又は二次電力を伝送するのに使用することができる。一実施形態において、中間周波数レンジ１０２は約100Hz及び100kHzの間である。他の実施形態において、中間周波数レンジ１０２は、高周波数レンジ１０４に伝送される高速データとの干渉を低減するため、約100Hz及び20kHzの間である。さらに別の実施形態において、中間周波数レンジ１０２は、約64kHzで伝送されるデジタル音声データ上の帯域外通信を可能にするため、約65kHz及び100kHzの間である。
【００１１】
図２は、帯域外通信装置１１０の帯域外電力及びデータタップを示す。図２に示されているように、装置１１０は複数のデータライン又は電線１１２を有する。一実施形態において、装置１１０は、８本のライン１１２を有する例えばカテゴリ５ｅ（ＣＡＴ−５）等の高速データケーブルを有する。或いは装置１１０は、８本のデータ１１２より多い又は少ない数を有してもよい。データライン１１２はシングルエンドか、又は差動対１１４であってもよい。図示の実施形態において、データライン１１２は、送信対１１６及び受信対１１８として構成される。
【００１２】
電力は、例示としてイーサネット(登録商標）スイッチ等のエンドスパンデバイスを使用して装置１１０に加えることができる。別の実施形態において、電力は、中間スパンデバイスを使用して装置１１０に加えることができる。エンドスパンデバイス又は中間スパンデバイスは、データを運ぶ同一のライン１１２に、又はデータを運ぶことに使用されない同一のケーブル組立体１１９内の予備ライン１１２に電力を通すことができる。
【００１３】
一実施形態において、電力は、図２に図示されるように加えることができる。具体的には、電力は、トランス１２１の中央タップ１２０を通って加えられる。トランス１２１は、一次巻線１２４及び二次巻線１２６の間にコア１２２を有する。送信対１１６の中央タップ１２０は接地接続できるので、０ボルトが送信対１１６に供給される。高電圧（ＨＶ）電力は受信対１１８の中央タップ１２０に接続できるので、正の電圧が受信対１１８に供給される。一実施形態において、約48Ｖの電圧が受信対１１８に供給される。或いは、48Ｖより多い又は少ない電圧を受信対１１８に供給してもよい。
【００１４】
バンドパスフィルタ１２８は、電力及び高速データを装置１１０に残しながら、装置１１０に沿って伝送される帯域外データを濾波するようデータライン１１２に結合される。一実施形態において、バンドパスフィルタ１２８は、各差動対１１４内でデータライン１１２に結合される。バンドパスフィルタ１２８は、帯域外データ、すなわち中間周波数レンジ１０２に周波数を有するデータライン１１２に沿って伝送されるデータがフィルタ１２８を通ることを許容する。バンドパスフィルタ１２８は、高速データ、すなわち高周波数レンジ１０４に周波数を有するデータライン１１２に沿って伝送されるデータがフィルタ１２８を通ることを許容しない。従って、帯域外データは、高速データから濾波されると共に装置１１０から除去される。一実施形態において、バンドパスフィルタ１２８は、帯域外データ及び高速データ間を区別するために所定のカットオフ周波数を有する。一実施形態において、カットオフ周波数は約100kHzである。或いは、カットオフ周波数は約20kHzである。カットオフ周波数は或いは、装置１１０用、及び帯域外データの特定伝送周波数用の特定用途に基づいて決定されてもよい。一実施形態において、バンドパスフィルタ１２８は、装置１１０から帯域外データを濾波するために、データライン１１２に結合された少なくとも１個のインダクタ（図示せず）を有する。具体的には、フィルタ１２８のカットオフ周波数は、所定インダクタンスに対応する所定の周波数で装置１１０上に伝送された帯域外データを濾波する所定インダクタンスを有するインダクタを与えることによって得られる。
【００１５】
バンドパスフィルタ１２８は、データ信号を送受信するために、帯域外通信電子デバイス１３４に結合される。一実施形態において、バンドパスフィルタ１２８は、帯域外通信電子デバイス１３４に出力１３２を送信する。出力１３２は、バンドパスフィルタ１２８を通過する濾波された信号に関連する。任意であるが、帯域外通信電子デバイス１３４は、バンドパスフィルタ１２８からの出力１３２を解釈するアナライザであってもよい。アナライザは、例えば基盤マッピング等の帯域外データに関連した特定機能を実行するためのコントローラ（図示せず）に作動結合することができる。別の実施形態において、帯域外通信電子デバイス１３４はバンドパスフィルタ１２８に信号を送信し、バンドパスフィルタ１２８はデータライン１１２に沿って信号を送信する。
【００１６】
装置１１０の使用の他の例は、装置１１０におけるデータ又は電力の流れ又は状況を示すために、装置１１０に発光ダイオード（ＬＥＤ）インジケータを結合することを含む。装置１１０の使用の他の例は、af規格に従っていないデバイスに電力を供給すること、或いは、例えばコンピュータ又はモニタ等のデスクトップ機器に中間周波数レンジより上の電力を供給することを含む。一実施形態において、装置１１０は、高周波数レンジ１０４内のモニタからのビデオ信号を伝送し、中間周波数レンジ１０２上にキーボード又はマウスの信号を伝送し、低周波数レンジ１００上にデバイス用の電力を伝送するために使用することができる。
【００１７】
装置１１０の使用の他の例は、運動、光又は煙等の何らかの事件の発生を検知するためのセンサに装置１１０を結合することを含む。ここで、何らかの事件の発生に関連する信号は、装置１１０に沿った帯域外データとして伝送される。装置１１０の使用の他の例は、装置１１０に結合されたエンドデバイス内に含まれるユーザ情報に基づいてアクセス権を決定することを含む。任意であるが、装置１１０を通ってエンドデバイスにデータ又は電力を伝送することは、帯域外データとして装置１１０を通って伝送されたユーザ情報に基づいて、許可されたり拒否されたりすることができる。
【００１８】
図３は、通信装置１１０（図２参照）と共に使用可能なデジタルバンドパスフィルタ１２８を示す。デジタルバンドパスフィルタ１２８は、帯域外データライン１１２に結合された第１アナログ・デジタル（Ａ／Ｄ）コンバータ１３８と、別のデータライン１１２に結合された第２Ａ／Ｄコンバータ１４２を有する。Ａ／Ｄコンバータ１３８，１４２は、データライン１１２上で伝送されたアナログ信号をデジタル信号に変換する。次に、デジタル信号はデジタル信号プロセッサ１４６に送信される。デジタル信号プロセッサ１４６は、Ａ／Ｄコンバータ１３８，１４２からデジタル信号を受信すると共に係数入力１４８から所定の係数を受信して出力１３２を提供する。出力１３２は、装置１１０上で伝送された帯域外データに関連する。出力１３２は、帯域外通信電子デバイス１３４（図２参照）に送られてもよい。
【００１９】
図４は、帯域外データを追加、除去するための装置２１０の代替一実施形態を概略的に示す。帯域外データは、バンドパスフィルタ２２２，２２３及び帯域外通信電子デバイス２２０により、装置２１０に沿った複数点で追加、除去することができる。帯域外通信電子デバイス２２０は、中間スパンデバイス又はエンドスパンデバイスであってもよい。一実施形態において、帯域外通信電子デバイス２２０は、例えばイーサネット(登録商標）スイッチ等のエンドスパンスイッチに含まれる。このような実施形態において、イーサネット(登録商標）スイッチは、帯域外通信電子デバイス２２０が帯域外データ信号を受信してイーサネット(登録商標）データを伝送するための認証をスイッチに与えるまで、装置２１０に沿ってイーサネット(登録商標）データを伝送しない。
【００２０】
一実施形態において、例えばＬＣ回路等のバンドパスフィルタ２２２は、各差動対２１４内のデータライン２１２に結合される。ＬＣ回路は、データライン２１２に結合された少なくとも１個のインダクタ２２４と、インダクタ２２４及び帯域外通信電子デバイス２２０間のキャパシタ２２６とを有する。任意であるが、フィルタ２２２は、装置２１０に伝送された対応する周波数を有する帯域外データを濾波するように、所定インダクタンスを有するインダクタ２２４を設けることにより得られるカットオフ周波数を有する。或いは、バンドパスフィルタ２２２は、抵抗（図示せず）、データライン２１２に結合された少なくとも１個のインダクタ２２４、並びにインダクタ２２４及び帯域外通信電子デバイス２２０間のキャパシタ２２６を有するＲＬＣ回路を具備してもよい。作動時において、帯域外通信電子デバイス２２０は、バンドパスフィルタ２２２を通って帯域外データ信号をデータライン２１２上で伝送することにより、データライン２１２に帯域外データを加える。さらに、帯域外データは、帯域外通信電子デバイス２２０に信号を通すバンドパスフィルタ２２２により、データライン２１２から除去される。
【００２１】
図５は、帯域外データを追加、除去するための装置３１０の別の一実施形態の概略図である。一実施形態において、電力及びデータの双方は、エンドスパンデバイス（図示せず）等の同一点でデータライン３１２に追加し、又はデータライン３１２から除去することができる。電力は、データライン３１２に結合された例えばＤＣ電源等の電源３２０によりデータライン３１２に加えられる。電力は、例えば、壁アウトレット、中間スパンデバイス又はエンドスパンデバイス等の電子デバイス（図示せず）により下流のデータライン３１２から除去される。帯域外データは、電力がデータライン３１２に加えられる同一点で帯域外通信電子デバイス３２２により追加、除去することができる。具体的には、図５に示された実施形態において、帯域外データは、データライン３１２に加えられる際、又はデータライン３１２から除去される際に、フィルタ３２４を通る。しかし、帯域外データは、例示目的のみであるが、ＲＬＣフィルタ又はデジタルフィルタ等の他のタイプのフィルタを通過することができる。
【００２２】
図６は、構造化されたケーブル配線基盤１６６内のデータ伝送用の帯域外通信装置１１０（図２参照）の典型的な使用を概略的に示す。基盤１６６は、用途に依って多くの構成を有することができることが理解される。図６に示される基盤１１６は例示のためだけである。一実施形態において、基盤１６６は、帯域外通信装置１１０を制御、監視するための例えばアナライザ又はコントローラ等の帯域外通信電子デバイス１６８を有する。帯域外通信電子デバイス１６８は中央データベース１７０に結合される。基盤１６６はまた、スイッチ１７２、パッチパネル１７４、壁アウトレット１７６、及び部品を相互接続する多数の構造化ケーブル配線１７８を有する。エンドデバイス１８０は、パッチコードを介して又は壁アウトレット１７６に結合された基盤１６６に結合される。或いは、エンドデバイス１８０は無線デバイスであってもよい。壁アウトレット１７６は固定ケーブルを介してパッチパネル１７４に結合され、パッチパネル１７４はパッチコードを介してスイッチ１７２に結合される。或いは、スイッチ１７２は、固定ケーブルを介してパッチパネル１７４に結合される。一実施形態において、パッチパネル１７４及び壁アウトレット１７６の一方又は両方は、受動デバイスであってもよい。代替実施形態において、基盤１６６は、複数の壁アウトレット１７６、パッチパネル１７４及びスイッチ１７２を有してもよい。別の代替実施形態において、基盤１６６は、いかなるスイッチ１７２、パッチパネル１７４、壁アウトレット１７６を有していなくてもよい。
【００２３】
帯域外通信電子デバイス１６８は、特定用途の基盤１６６に依って、スイッチ１７２、パッチパネル１７４、構造化ケーブル配線１７８、壁アウトレット１７６又はエンドデバイス１８０のいずれかに接続することができる。任意であるが、帯域外通信電子デバイス１６８は、スイッチ１７２、パッチパネル１７４、構造化ケーブル配線１７８、壁アウトレット１７６又はエンドデバイス１８０のいずれかと一体化又は埋設されてもよい。典型的な実施形態において、帯域外通信電子デバイス１６８は帯域外データを生成すると共に解釈する。具体的には、帯域外通信電子デバイス１６８は、特定用途に関連する帯域外データを生成し、構造化ケーブル配線１７８に沿ったデータを基盤１６６の１個の部品に送信する。さらに、帯域外通信電子デバイス１６８は、基盤１６６の部品から特定用途に関連する帯域外データを受信し、送信されるデータを解釈する。
【００２４】
図７は、基盤１８２を管理するための帯域外通信装置１１０（図２参照）の典型的な使用を概略的に示す。図７に示される基盤１８２は例示目的である。一実施形態において、基盤１８２は、帯域外通信装置１１０を管理、監視するための例えばアナライザ又はコントローラ等の帯域外通信電子デバイス１８４を有する。帯域外通信電子デバイス１８４は中央データベース１８６に結合される。基盤１８２は、少なくとも１個のスイッチ１８８、少なくとも１個のパッチパネル１９０、少なくとも１個の壁アウトレット１９２、及び部品を相互接続する多数の構造化ケーブル配線１９４を有する。任意であるが、帯域外通信電子デバイス１８４は、スイッチ１８８、パッチパネル１９０、壁アウトレット１９２、又は構造化ケーブル配線１９４のいずれかと一体化又は埋設されてもよい。
【００２５】
使用時において、基盤１８２内の各部品の状況が決定されることが望ましい。例えば、一実施形態において、状況は部品の位置に関連する可能性があるので、基盤１８２の適当な方向性、試験、補修のために位置が決定される。具体的には、各壁アウトレット１９２の位置、及び壁アウトレット１９２からケーブル１９４が接続される特定ポートの位置は、知っていなければならない。帯域外通信装置１１０の使用により、部品の位置は、帯域外通信電子デバイス１８４により自動的に監視することができ、中央データベース１８６内に保存することができる。別の実施形態において、状況は、部品の作動状態に関連してもよい。さらに別の実施形態において、状況は部品のタイプに関連してもよい。一実施形態において、帯域外通信電子デバイス１８４は、装置１１０に沿って帯域外データ信号を部品に送信することにより、部品を調査してこのような部品の状況を決定する。
【００２６】
典型的な一実施形態において、壁アウトレット１９２は、構造化ケーブル１９４に結合された例えば識別タグ等の識別表示器１９６を有する。識別表示器１９６は、構造化ケーブル１９４に沿って伝送され得るメモリ内に保存された例えばシリアルナンバー等の唯一の識別表示（ＩＤ）を有する。任意であるが、識別表示器１９６は、構造化ケーブルに沿って伝送された電力により電源供給されてもよい。帯域外通信電子デバイス１８４は個々の識別表示器１９６を調査し、壁アウトレット１９２の特定ＩＤに関連した信号を送信する。この信号は、帯域外データとして構造化ケーブル１９４に沿って帯域外通信電子デバイス１８４に送信される。帯域外通信電子デバイス１８４は、基盤１８２を通して構造化ケーブル１９４の位置及び経路を解釈する。具体的には、帯域外通信電子デバイス１８４は、任意のパッチパネル１９０、スイッチ１８８を通してケーブル接続性を決定する。従って、帯域外通信電子デバイス１８４は、オフィス床の壁アウトレット１９２の物理的位置を基盤１８２を通るケーブル経路にリンクする。壁アウトレット１９２の位置が一旦決定されると、位置は中央データベース１８６に保存される。パッチパネル１９０及びスイッチ１８８とのケーブル接続性は同様の方法で決定できる。
【００２７】
図８は、帯域外通信装置１１０（図２参照）の典型的な使用を示すフローチャートである。具体的には、帯域外通信装置１１０は、装置１１０の伝送状態を示すことに使用することができる。例えば、装置１１０は、データが装置１１０を通って伝送されている場合、それを表示することに使用することができる。或いは、装置１１０は、電力がデータライン１１２上に伝送されている場合、それを表示することに使用することができる。任意であるが、装置１１０は、装置１１０を通って電力又はデータが伝送される能力がある場合、それを表示することに使用することができる。さらに、装置１１０は、パッチコードが装置１１０に電気的に結合されている場合、それを表示することに使用することができるので、データ又は電力は装置１１０を通ってパッチコード及びエンドデバイスに流れることができる。
【００２８】
一実施形態において、装置１１０の状況は、例えば個々の装置１１０の伝送状態を監視する等の基盤を監視するために、壁アウトレットから帯域外通信電子デバイス１３４に伝送される。具体的には、装置１１０の状況に関連する信号は、帯域外データとして中間周波数レンジ１０２内に装置１１０を通って伝送される。帯域外通信電子デバイス１３４は、データが装置１１０を通ってエンドデバイスに又はエンドデバイスから流れるかどうかを決定する。具体的には、信号は装置１１０を通る高速データの流れに関連する帯域外データとして中間周波数レンジ１０２内に伝送される。任意であるが、帯域外通信電子デバイス１３４は、電力が装置１１０を通って流れているかどうかを決定し、そのような決定に関連する信号が帯域外データとして伝送される。
【００２９】
典型的な使用において、装置１１０は壁アウトレット４０２に結合される。壁アウトレットは、例えばＬＥＤインジケータ、又は文又は視覚的メッセージをユーザに送ることができるＬＣＤディスプレー等の表示システムを有する。装置１１０はＬＥＤインジケータに結合されているので、装置１１０上を流れるデータはＬＥＤインジケータに伝送することができる。任意であるが、ＬＥＤインジケータは、装置１１０に伝送される電力により電源供給してもよい。ＬＥＤインジケータは、装置１１０を通る高速データ伝送の利用可能性を表示する。具体的には、帯域外通信電子デバイス１３４は、データが装置１１０を通って流れて利用可能であるかどうかを決定する（工程４０４）。壁アウトレットに結合された装置がデータを伝送している（工程４１２）か、又はデータを伝送することができる（工程４０６）と、ＬＥＤインジケータが点灯する。任意であるが、壁アウトレットは複数のＬＥＤインジケータを有することができる。ここで、データ伝送が可能である（工程４０６）場合、第１ＬＥＤインジケータが点灯し、特定の壁アウトレットに結合されたケーブルを通ってデータ伝送が可能でない（工程４０８）場合、第２ＬＥＤインジケータが点灯する。或いは、ＬＥＤインジケータは、装置１１０を通る電力伝送の利用可能性を表示してもよい。
【００３０】
一実施形態において、データが装置１１０を通って流れて利用可能であるかどうかを決定すること（工程４０４）に加えて、帯域外通信電子デバイス１３４はデータが装置１１０を通って流れているかどうかを決定する（工程４１０）。１個のＬＥＤインジケータは、データが装置１１０を通って流れている場合に点灯（工程４１２）してもよいし、或いは特定壁アウトレットに結合されたケーブルを通ってデータが流れていない場合に点灯（工程４１４）してもよい。
【００３１】
別の実施形態において、装置１１０は、パッチパネル１７４（図６参照）等のパッチパネルに結合される。帯域外通信電子デバイス１１０は、パッチパネル１７４で装置１１０の伝送状態を表示することに使用される。任意であるが、帯域外通信装置１１０は、スイッチ１７２（図６参照）等のスイッチに結合されてもよく、スイッチ１７２で装置１１０の伝送状態を表示することに使用される。具体的には、パッチパネル１７４又はスイッチ１７２はＬＥＤインジケータを有し、装置１１０の伝送状態に関連する信号はパッチパネル１７４又はスイッチ１７２に送られ、パッチパネル１７４又はスイッチ１７２によって通信される。
【００３２】
さらに別の実施形態において、パッチコードは装置１１０に電気的に結合される。一実施形態において、パッチコードは壁アウトレットに結合される。或いは、パッチコードは、パッチパネル間に、又はパッチパネル及びスイッチ間に結合してもよい。パッチコードは、ＬＥＤインジケータ又は点灯した端末等の照明源を有する。装置１１０の伝送状態はパッチコード上に表示することができる。具体的には、照明源は、データ又は電力の利用可能性、或いは装置１１０を通るデータ又は電力の伝送等の、所定の伝送状態が装置１１０により実行される際に、点灯する。
【００３３】
図９は、帯域外通信装置１１０（図２参照）の典型的な使用を示すフローチャートである。帯域外通信１１０は、何らかの事件の発生を監視するために使用することができる。一実施形態において、装置１１０は壁アウトレットに結合され（工程４２０）、例えばアウトレットを囲む近傍の状態等の何らかの事件の発生を検知するために、センサが壁アウトレットに結合される。例えば、センサは、煙検知器、一酸化炭素検知器、一例として火事等の何らかの事件の発生を検知するための熱検知器を含んでもよい。或いは、センサは、運動検知器、光検知器、泥棒又は侵入者の存在等の何らかの事件の発生を検知するためのノイズ検知器を含んでもよい。センサは何らかの事件の発生を監視（工程４２４）し、センサにより事件の発生が検知される（工程４２６）と、センサは、帯域外通信電子デバイス１３４（図２参照）に事件の発生が検知されたことを示す信号を送信する（工程４２８）。信号は、事件の発生に関連する帯域外データとして中間周波数レンジ１０２に伝送される。このように、伝送される信号は、電力及び高速データ伝送等の、低周波数レンジ１００及び高周波数レンジ１０４の一方又は両方におけるケーブルを通って伝送される信号とは無関係である。
【００３４】
別の実施形態において、センサは、エンドデバイスに作動結合することができる。例えば、センサは運動検知器を含んでもよいし、センサは、運動を検知すると光が点灯するように光コントローラに作動結合されてもよい。さらに別の例において、センサは煙検知器を含んでもよいし、センサは、煙を検知すると警報機がオンになるように警報機コントローラに作動結合されてもよい。
【００３５】
図１０は、帯域外通信装置１１０（図２参照）の典型的な使用を示すフローチャートである。帯域外通信装置１１０は、装置１１０に伝送されるユーザ情報に基づいてエンドデバイスにデータ又は電力のアクセス権を与えるために使用することができる。一実施形態において、装置１１０は壁アウトレットに結合される。識別表示器は壁アウトレットに結合され（工程４３２）、装置１１０は識別表示器に結合される。さらに、エンドデバイスは壁アウトレットに結合される（工程４３４）。エンドデバイスは、例えばエンドデバイスのタイプ又は使用等の所定の変数に基づいたユーザ情報を含む。帯域外通信電子デバイス１３４（図２参照）は、エンドデバイスがエンドデバイス内に含まれるユーザ情報に基づいてネットワーク又は電力接続を与えるべきかどうかを決定する（工程４３６）。ユーザ情報がデータ又は電力伝送を許容すると、データ又は電力が伝送される（工程４３８）。或いは、ユーザ情報が特定のエンドデバイスへのアクセスを制限している場合、データ又は電力の伝送が拒否される（工程４４０）。任意であるが、帯域外通信電子デバイス１３４は、エンドデバイスの位置を既知にするように、構造化ケーブル配線基盤内の壁アウトレットの位置を決定することができる。
【００３６】
作動の際、エンドデバイスが壁アウトレットに結合されると、エンドデバイスはユーザ情報に基づいて帯域外通信電子デバイスに信号を送信する。信号は、装置１１０を通ってネットワーク又は電力伝送への特定エンドデバイスのアクセス権に関連する帯域外信号として中間周波数レンジ１０２内で伝送される。一実施形態において、エンドデバイスは、例えばコンピュータ等の電子デバイスであってもよい。装置１１０上に伝送されたユーザ情報は、特定電子デバイス用のアクセス権に関するセキュリティ情報である。このように、ネットワーク接続は、エンドデバイスから帯域外通信電子デバイス１３４への帯域外データとして送信されるセキュリティ情報に基づいて、特定のエンドデバイスに対して拒否することができる。
【００３７】
別の実施形態において、エンドデバイスは、例えば病院での心臓監視装置等のデータ収集機器であってもよい。或いは、エンドデバイスは、例えば工場内での工業コントローラ等の制御機器であってもよい。装置１１０上で伝送されたユーザ情報は、エンドデバイスのタイプ又は位置に関連する情報である。このように、帯域外通信電子デバイス１３４は、エンドデバイスが特定のタイプかどうか、特定に位置にあるかどうか、又は特定の状態かどうかを帯域外通信電子デバイス１３４が決定すると、エンドデバイスに装置１１０上のデータ又は電力を送信する。
【００３８】
別の一実施形態において、帯域外通信電子デバイス１３４は、所定の変数のためにエンドデバイスがデータ及び電力の一方又は両方の伝送を拒否されるべきかどうかを決定する（工程４４２）。このように、電力又はネットワーク接続は、所定の変数に基づいて、エンドデバイスに対して拒否される（工程４４６）か、維持される（工程４４８）。従って、装置１１０は、伝送が発生した後、エンドデバイスへのデータ又は電力伝送を拒否できる。一例として、装置１１０は、装置１１０上に伝送されるセキュリティ情報に基づいてエンドデバイスへのデータ又は電力を拒否できる。或いは、装置１１０は、例えば、電源が制限され、又はデータ又は電力の伝送が安全ではない場合、別のエンドデバイスに対する優先枠組又は優先権に基づいてエンドデバイスへのデータ又は電力を拒否できる。このように、低周波数レンジ１００での電力伝送、又は高周波数レンジ１０４での高速データ伝送は、中間周波数レンジ１０２でのデータ伝送により制御することができる。
【００３９】
上述の実施形態は、通信装置１１０上に電力及びデータを伝送するための低コスト且つ信頼性の高い手段を提供する。具体的には、装置１１０は、高周波数レンジ１０４内で高速データ、及び高周波数レンジ１０４とは異なる中間周波数レンジ１０２内で帯域外データを伝えるためのデータラインを有する。装置１１０はまた、データライン１１２上に電力を伝えるよう構成される。また、装置１１０は、帯域外データを通過させ、高速データを阻止するために、データライン１１２に結合されたバンドパスフィルタ１２８を有する。装置１１０はまた、帯域外データを帯域外通信電子デバイス１３４に出力するために、バンドパスフィルタ１２８に結合された出力１３２を有する。従って、装置１１０は、単に高速データ及び電力を伝えるだけの典型的な構造化ケーブルを越える改善点を有する。この結果、装置１１０は多数の用途で使用できるよう構成されている。さらに、装置１１０は、既存の構造化ケーブル基盤と共に使用することができる。
【００４０】
通信装置１１０の典型的な実施形態を詳細に上述した。本発明の通信装置１１０は、本明細書に説明した特定実施形態に限定されず、各通信装置１１０の部品は、本明細書に記載された他の部品とは独立別個に使用することができる。例えば、各通信装置１１０はまた、他の通信装置１１０の部品と組み合わせて使用することもできる。
【図面の簡単な説明】
【００４１】
【図１】図１は、帯域外通信装置の伝送周波数レンジを示す概略のグラフである。
【図２】本発明の一実施形態に従った通信装置の帯域外電力及びデータタップを示す回路図である。
【図３】図２の通信装置と共に使用されるデジタルバンドパスフィルタを示す回路図である。
【図４】帯域外データを付加、除去するための通信装置の別の一実施形態を示す概略図である。
【図５】帯域外データを付加、除去するための通信装置の別の一実施形態を示す概略図である。
【図６】本発明の一実施形態に従ったデータ伝送用の図２の通信装置の典型的使用を示す図である。
【図７】図２の通信装置の典型的な他の使用を示す図である。
【図８】本発明の一実施形態に従った帯域外通信装置の典型的な使用を示すフローチャートである。
【図９】本発明の一実施形態に従った帯域外通信装置の典型的な使用を示すフローチャートである。
【図１０】本発明の一実施形態に従った帯域外通信装置の典型的な使用を示すフローチャートである。
【符号の説明】
【００４２】
１０２  中間周波数レンジ（第２周波数レンジ）
１０４  高周波数レンジ（第１周波数レンジ）
１１０  帯域外通信装置
１１２  データライン
１１４  差動対
１２０  中央タップ
１２１  トランス
１２８  バンドパスフィルタ
１３４  帯域外通信電子デバイス
１３８，１４２  Ａ／Ｄコンバータ
１４６  デジタル信号プロセッサ
１６６，１８２  構造化ケーブル配線基盤
２１０  帯域外通信装置
２１２  データライン
２１４  差動対
２２２，２２３  バンドパスフィルタ
２２４  インダクタ
２２６  キャパシタ
３１０  帯域外通信装置
３１２  データライン
３２４  バンドパスフィルタ
【図１】
2008522556.tif 000003
【図２】
2008522556.tif 000004
【図３】
2008522556.tif 000005
【図４】
2008522556.tif 000006
【図５】
2008522556.tif 000007
【図６】
2008522556.tif 000008
【図７】
2008522556.tif 000009
【図８】
2008522556.tif 000010
【図９】
2008522556.tif 000011
【図１０】
2008522556.tif 000012
【国際調査報告】
2008522556.tif 000013
2008522556.tif 000014
2008522556.tif 000015
2008522556.tif 000016